(57)【要約】【課題】  異なる形態の出力処理を開始した後に、処理内容の誤りを発見した場合にも、無駄を生ずることなく適正な出力処理を行える出力装置を構成する。【解決手段】  印画紙に対するプリント処理とメディアＭｄに対する保存処理とを行える写真プリント装置において、オーダ処理を中断できる処理中断手段４８を備え、この処理中断手段４８で処理を中断した場合には、処理形態設定手段４９が、中断後の処理形態を設定する画面をディスプレイ３に表示し、この画面の表示に従う設定によって必要な処理を実現できるように構成した。【選択図】        図４
2006247875.tif 000002
【特許請求の範囲】
【請求項１】
デジタル信号化された画像データを出力する複数の出力処理が設定され、この複数の出力処理から選択したものをオーダ処理として設定するオーダ設定手段と、前記オーダ処理を実行するオーダ実行手段とを備えている出力処理装置であって、
前記オーダ実行手段で実行中のオーダ処理を中断する処理中断手段を備え、この処理中断手段で中断されたオーダ処理の中断後の処理形態を設定する処理形態設定手段を備えている出力処理装置。
【請求項２】
前記オーダ実行手段は、前記オーダ処理の実行時に、オーダ処理の情報を含む処理実行画面をディスプレイに表示し、前記処理中断手段は前記オーダ処理を人為操作で停止するボタンを前記処理実行画面に表示するように構成されている請求項１記載の出力処理装置。
【請求項３】
前記処理形態設定手段は、前記中断後の処理形態として複数種の前記出力処理の何れかを設定する、又は、オーダ処理を停止するように構成されている請求項１又は２記載の出力処理装置。
【請求項４】
前記出力処理として、前記画像データをプリント媒体にプリントする複数種のプリント処理と、前記画像データを記憶媒体に記憶する記憶処理とが予め設定され、
前記オーダ設定手段は、複数の前記出力処理を選択し、かつ、夫々の出力処理の処理順序を設定し、前記処理中断手段は、中断のタイミングを先の出力処理と次の出力処理との間に設定している請求項１又は３記載の出力処理装置。
【請求項５】
前記処理中断手段は、先の出力処理と次の出力処理との間のタイミングで出力処理を中断した際には、確認画面をディスプレイに表示し、この確認画面に対して次の処理順序に設定されている出力処理の実行と停止との何れかの選択を行うボタンを表示するように構成されている請求項４記載の出力処理装置。
【請求項６】
前記出力処理として、前記画像データをプリント媒体に対してプリントする複数種のプリント処理と、前記画像データを媒体に保存する保存処理とが予め設定され、
前記オーダ設定手段は、単一又は複数の出力処理によって前記オーダ処理を設定し、前記処理中断手段は、前記オーダ処理における最終の出力処理が終了した時点で確認画面をディスプレイに表示し、この確認画面に対して新たな出力処理の実行を可能にするボタンを表示するように構成されている請求項１又は３記載の出力処理装置。
【発明の詳細な説明】
【技術分野】
【０００１】
本発明は、デジタル信号化された画像データを出力する複数の出力処理が設定され、この複数の出力手段から選択したものをオーダ処理として設定するオーダ設定手段と、前記オーダ処理を実行するオーダ実行手段とを備えている出力処理装置に関し、詳しくは、出力処理を中断し、オーダ処理の設定を変更（追加・中断）する技術に関する。
【背景技術】
【０００２】
上記のように構成された出力処理装置と関連する技術として、写真プリント装置において実行中のプリント処理（本発明の出力処理）に割り込んで、異なるオーダのプリント処理を行えるものが存在する。この技術では、プリント処理の実行時にはモニターに対してプリント中であることを示すメッセージとともに、証明写真とデジタルカメラとの何れかの割り込み処理を実現する２つのスイッチを表示する。そして、例えば、証明写真をプリントする必要がある場合には、モニターに表示された証明写真のスイッチを操作して、証明写真のプリントに必要な情報を入力することにより、現在行われているプリント処理を中断し、このプリント処理に優先して（割り込んで）証明写真のプリント処理を行い、この証明写真のプリント処理を終了した後には、自動的に元のプリント処理に復帰するように処理形態が設定されている（特許文献１）。また、この特許文献１では、割り込み処理を行う場合に、現在行われているプリント処理が終了し（１オーダが終了し）、次のプリント処理（次のオーダ）の行う以前に、割り込み処理を行える点も記載されている。
【０００３】
【特許文献１】特開２０００‐３５２７８０号公報  （段落番号〔００２１〕〜〔００２９〕、図１、図２、図６、図８）
【発明の開示】
【発明が解決しようとする課題】
【０００４】
ミニラボと称され、ＤＰ店に設置されている写真プリント装置を例に挙げると、この種の装置は、デジタル信号化された画像データを印画紙に露光するための露光ヘッドを備えており、現像済みの写真フィルムのコマ画像をプリントする場合には、フィルムスキャナを用いてコマ画像をデジタル信号化して画像データとして取得した後にプリント処理を実行している。また、デジタルカメラで撮影された画像データをプリントする場合には、デジタルカメラで使用されたフラッシュメモリ等のメディアから画像データを取得してプリント処理を実行している。
【０００５】
また、この種の写真プリント装置では、所謂、同時プリントのオーダを受けた場合には、ＬサイズやＥサイズ等のサイズのプリント処理の他に、複数の画像データを縮小してプリントするインデックスプリント処理を行うことも多い。更に、近年の同時プリントのオーダの形態として、前述したＬサイズやＥサイズ等のサイズのプリント処理やインデックスプリント処理の他に、画像データをＣＤ−Ｒ等のメディアに保存する処理も行われている。
【０００６】
このように複数の出力形態を伴うオーダ処理では、オーダ処理を実行する際において誤った設定により、不必要な出力処理を行うことや、必要とする出力処理を行えないこともある。このように誤った設定に基づいてオーダ処理を開始した後に、誤りに気付いた場合には、オーダ処理を正しく設定する必要があるものの、従来からの写真プリント装置では、オーダ処理をクリヤする形態での中断しか行えないものであった。従って、オーダ処理を中断した場合には、オーダ処理の内容を正しく設定した後に、再びオーダ処理を開始する必要があり、無駄が発生し、手間が掛かる点において改善が望まれていた。
【０００７】
本発明の目的は、オーダ処理を開始した後に、処理内容の誤りを発見した場合にも、無駄を生ずることなく適正な出力処理を行える出力装置を合理的に構成する点にある。
【課題を解決するための手段】
【０００８】
本発明の特徴は、デジタル信号化された画像データを出力する複数の出力処理が設定され、この複数の出力処理から選択したものをオーダ処理として設定するオーダ設定手段と、前記オーダ処理を実行するオーダ実行手段とを備えている出力処理装置において、
前記オーダ実行手段で実行中のオーダ処理を中断する処理中断手段を備え、この処理中断手段で中断されたオーダ処理の中断後の処理形態を設定する処理形態設定手段を備えている点にある。
【０００９】
この構成により、処理中断手段によってオーダ処理の実行を中断した後には、処理形態設定手段によって中断後の処理形態を設定できる。つまり、オーダ処理を中断した後には、予め設定されている複数の処理形態の何れかを選択して実行することや、既に設定している出力処理の処理内容を変更して実行することも可能となる。その結果、オーダ処理を開始した後に、処理内容の誤りを発見した場合にも、オーダ処理を中断し、この中断の後に適正な出力処理を行える出力装置が構成された。
【００１０】
本発明は、前記オーダ実行手段が、前記オーダ処理の実行時に、オーダ処理の情報を含む処理実行画面をディスプレイに表示し、前記処理中断手段は前記オーダ処理を人為操作で停止するボタンを前記処理実行画面に表示しても良い。
【００１１】
この構成により、オーダ処理の実行中にオーダ処理の情報を処理実行画面を介して取得でき、実行中のオーダ処理を中断する場合でも、処理実行画面に表示されたボタンを操作することで済み、操作が簡単となる。
【００１２】
本発明は、前記処理形態設定手段が、前記中断後の処理形態として複数種の前記出力処理の何れかを設定する、又は、オーダ処理を停止するように構成しても良い。
【００１３】
この構成により、オーダ処理の中断後に複数種の出力処理の何れかを実行すること、あるいは、出力処理を停止することが可能となる。
【００１４】
本発明は、前記出力処理として、前記画像データをプリント媒体にプリントする複数種のプリント処理と、前記画像データを記憶媒体に記憶する記憶処理とが予め設定され、
前記オーダ設定手段は、複数の前記出力処理を選択し、かつ、夫々の出力処理の処理順序を設定し、前記処理中断手段は、中断のタイミングを先の出力処理と次の出力処理との間に設定しても良い。
【００１５】
この構成により、処理順序を設定して複数の出力処理を行う場合に、夫々の出力処理の間のタイミングで処理を中断できるので、先に行った出力処理の内容の確認や、次に行われる出力処理の実行の適否を判断して、適切な処理を行うことも可能となる。
【００１６】
本発明は、前記処理中断手段は、先の出力処理と次の出力処理との間のタイミングで出力処理を中断した際には、確認画面をディスプレイに表示し、この確認画面に対して次の処理順序に設定されている出力処理の実行と停止との何れかの選択を行うボタンを表示するように構成しても良い。
【００１７】
この構成により、先の出力処理と次の出力処理との間のタイミングで出力処理を中断した場合には、ディスプレイに表示された確認画面のボタンを操作することにより、次の処理順序の設定されている出力処理の実行と停止との何れかを選択できる。
【００１８】
本発明は、前記出力処理として、前記画像データをプリント媒体に対してプリントする複数種のプリント処理と、前記画像データを媒体に保存する保存処理とが予め設定され、
前記オーダ設定手段は、単一又は複数の出力処理によって前記オーダ処理を設定し、前記処理中断手段は、前記オーダ処理における最終の出力処理が終了した時点で確認画面をディスプレイに表示し、この確認画面に対して新たな出力処理の実行を可能にするボタンを表示するように構成しても良い。
【００１９】
この構成により、オーダ処理における最終の出力処理が終了した時点で、確認画面がディスプレイに表示され、この終了時点において、新たな出力処理を行う必要がある場合には、確認画面のボタンを操作することにより新たな出力処理の実行が可能となる。
【発明を実施するための最良の形態】
【００２０】
以下、本発明の実施形態を図面に基づいて説明する。
〔全体構成〕図１に示すように、現像済みの写真フィルムＦのコマ画像をデジタル信号化して画像データとして取得し、処理に必要なオーダデータの設定を行い、システム全体の基本的な制御を行うオペレート部Ａを備えると共に、プリント媒体としての銀塩式の印画紙Ｐに対して露光処理と現像処理とを行い、かつ、乾燥処理を行った後に送り出すプリント部Ｂを備えることによりデジタルミニラボと称せられる写真プリント装置（出力処理装置の一例）が構成されている。
【００２１】
〔オペレート部〕
前記オペレート部Ａは、コンソール１に対して写真フィルムＦのコマ画像を光電変換によりデジタル信号化した画像データとして取り込むフィルムスキャナ２と、各種情報を表示するディスプレイ３と、画像処理とプリント処理等に必要な処理を行う汎用コンピュータで成る処理装置４と、情報を入力するキーボード５と、ポインティングデバイスとして機能するマウス６と、ＣＤ−ＲやＤＶＤ−Ｒ等のディスク型メディアＭｄ（記憶媒体の一例）に対して情報を保存するディスク処理装置１０とを備えている。
【００２２】
前記処理装置４は、ディスプレイ３に表示された情報に従ってオペレータが前記キーボード５やマウス６を操作することにより、各種の処理を実現するインタフェースを具備すると共に、ＣＤやＭＯやＦＤ等のディスク型メディアＭｄ（記憶媒体の一例）との間で情報のアクセスを行うディスクドライブ７と、半導体型メディアＭｓとの間で情報のアクセスを行う半導体ドライブ８とを備えている。
【００２３】
この処理装置４は、前記フィルムスキャナ２で取得した画像データ、あるいは、ディスクドライブ７や半導体ドライブ８で取得した画像データを、処理装置４に内蔵した半導体メモリ４２（ＲＡＭ／ＲＯＭ）やハードディスクＨＤ（図４を参照）に保存する処理を行い、必要な場合に画像データをディスプレイ３に表示した状態で補正処理を行うソフトウエア、及び、画像データとプリントサイズやプリント枚数等の処理情報を前記プリント部Ｂに伝送することによりプリント部Ｂでのプリント処理を実現するソフトウエアがインストールされている。
【００２４】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）３原色に色分解して取り込むラインＣＣＤ型の光電変換部を配置している。このフィルムスキャナ２で写真フィルムＦのスキャニングを行う場合には、その写真フィルムＦのサイズに適合したフィルムキャリア２Ａを光源部の上面に装着してスキャニングを行うことにより、写真フィルムＦを副走査方向（長手方向）に搬送する作動と同期して光電変換部において写真フィルムＦのコマ画像を主走査方向に走査する形態でデジタル信号化して取り込む処理が行われ、このように取り込まれた画像データは、前記処理装置４に転送され、前記半導体メモリ４２（ＲＡＭ／ＲＯＭ）やハードディスクＨＤに保存される。
【００２５】
前記ディスク処理装置１０は、図１及び図３に示すように、本体１０Ａの上部に配置した印刷部１０Ｐと、本体１０Ａの中間部に配置した書込部１０Ｗと、ＣＤ−ＲやＤＶＤ−Ｒ等のディスク型メディアＭｄ（記憶媒体の一例）の集積部１０Ｃと、このディスク型メディアＭｄの給排を行うピッカー１１とを備えている。
【００２６】
前記印刷部１０Ｐは、水平方向に出退作動自在なトレイ１２と、このトレイ１２に載置されたディスク型メディアＭｄの表面（レーベル面）に情報をプリントするインクジェット型のプリントヘッド（図示せず）とを備えている。前記書込部１０Ｗは、水平方向に出退作動自在なトレイ１３と、このトレイ１３に載置されたディスク型メディアＭｄに対して情報を書き込む書込ヘッド（図示せず）とを備えている。前記集積部１０Ｃは、未処理ディスクストッカー１４と、処理済ディスクストッカー１５とを備えている。前記ピッカー１１は、ディスク型メディアＭｄを挟持する状態と分離する状態とに切り換え自在に構成されると共に、昇降部１６に沿って昇降自在で、この昇降部１６の縦向きの軸芯を中心として揺動自在に構成されている。
【００２７】
このディスク処理装置１０は、前記集積部１０Ｃの未処理ディスクストッカー１４にセットされた未処理のディスク型メディアＭｄをピッカー１１が挟持して持ち上げ、前記印刷部１０Ｐのトレイ１２に供給することによりディスク型メディアＭｄの表面（レーベル面）にプリントヘッドが記憶内容を示す情報等のプリントを行う。次に、プリントされたディスク型メディアＭｄをピッカー１１で挟持して書込部１０Ｗのトレイ１３に供給してデータを記憶する。このプリントと記憶とが終了したディスク型メディアＭｄを再びピッカー１１で挟持し、このピッカー１１を縦向き姿勢の軸芯周りで揺動させ、前記集積部１０Ｃの処理済ディスクストッカー１５の上方から下方に送り込む形態でディスク型メディアＭｄが集積するよう処理のシーケンスが設定されている。
【００２８】
〔プリント部〕前記プリント部Ｂは、図１及び図２に示すように、露光ブロックＥｘと、現像ブロックＤｅと、乾燥ブロックＤｒとを暗箱構造の筐体２０に収容して成ると共に、筐体２０の外部には、処理の後に筐体２０の上部から送り出される印画紙Ｐを水平方向に送る搬送ベルト２１を備え、この搬送ベルト２１から送られる印画紙Ｐをオーダ単位で仕分けて集積するよう複数のトレイ２２を有したソータ２３を備え、更に、搬送ベルト２１の下方位置には大きいサイズの印画紙Ｐを受け止めるラック２４を備えている。
【００２９】
前記露光ブロックＥｘは、下部に２つの印画紙マガジンＭを配置すると共に、上部位置に露光ヘッドＨを配置している。この露光ブロックＥｘでは、印画紙マガジンＭ、Ｍの一方に収納したロール状のカラーの印画紙Ｐを圧着型のアドバンスローラ２６によって引き出し、カッターユニット２７でプリントサイズに切断し、この切断された印画紙Ｐの裏面側に印字ヘッド２８によって色補正情報等の情報をプリントし、この後、印画紙Ｐを挟持搬送するチャックユニット２９によって露光経路に送り込む制御が実行される。
【００３０】
前記露光経路では、前記チャックユニット２９からの印画紙Ｐを受取ローラ３０で受け取ると共に、この印画紙Ｐを一対の駆動ローラ３１と、これに対応する一対の従動ローラ３２とで圧着して上方（副走査方向）に搬送する。この搬送によって前記印画紙Ｐが露光位置に達すると前記露光ヘッドＨからのレーザビームで主走査方向に沿って露光が行われる。そして、この露光を終えた印画紙Ｐは、複数の圧着ローラ３３を備えた前搬送経路において搬送方向が水平方向に変換される。この後に水平方向に搬送される印画紙Ｐは２つのチャッカー３４を備えた振り分け経路において２列の振り分け経路に振り分けられ、更に、複数の圧着ローラ３５を備えた後搬送経路から前記現像ブロックＤｅの圧着型の導入ローラ３６に受け渡される。
【００３１】
前記現像ブロックＤｅは、発色現像槽と漂白定着槽と安定槽とで成る複数の処理槽を一体形成した現像処理槽３７を備えると共に、夫々の現像処理槽に印画紙Ｐを供給する搬送機構３８を備えており、前記露光ブロックＥｘから供給された印画紙Ｐの現像処理を、前記複数の処理槽において行う。前記乾燥ブロックＤｒは、現像ブロックＤｅから送り出された印画紙Ｐに対してブロワ３９からの乾燥空気を供給して乾燥を行う。
【００３２】
本発明の写真プリント装置は、例えば、写真フィルムＦからのプリント処理の依頼を受け付けた場合に、写真フィルムＦの各コマ画像のプリントを行うノーマルプリント処理と、写真フィルムＦの複数のコマ画像を１枚の印画紙にプリントするインデックスプリント処理と、写真フィルムＦの複数のコマ画像をＣＤ−Ｒ等のメディアに保存するメディア保存処理とを１つのオーダとして処理を行うことが可能である。
【００３３】
つまり、前記ノーマルプリント処理とインデックスプリント処理とメディア保存処理とが本発明の出力処理に対応し、これらの出力処理から選択した１つ又は複数の出力処理の総称をオーダ処理としている。
【００３４】
〔制御構成〕
図４に示すように、前記処理装置４は、マイクロプロセッサ（ＣＰＵ）を備えると共に、このマイクロプロセッサ（ＣＰＵ）に対して情報の入出力を行う入出力インタフェース４１（Ｉ／Ｏ）を備えている。この入出力インタフェース４１に対して前記フィルムスキャナ２、ディスプレイ３、キーボード５、マウス６、ディスクドライブ７、半導体ドライブ８、ディスク処理装置１０夫々に対する情報の入出力系を形成し、ハードディスクＨＤ、及び、前記プリント部Ｂに対する情報の入出力系を形成している。
【００３５】
前記処理装置４は、マイクロプロセッサＣＰＵのデータバスに半導体メモリ４２（ＲＡＭ／ＲＯＭ）、オペレーティングシステム４３、画像データ取得手段４４、オーダ設定手段４５、プリント実行手段４６、メディア保存手段４７、処理中断手段４８、処理形態設定手段４９夫々を接続している。尚、前記プリント実行手段４６とメディア保存手段４７とで本発明のオーダ実行手段が構成されている。
【００３６】
ちなみに、この処理装置４において制御を実現するためにはデータバスの他にコントロールバスやアドレスバス等を必要とするものであるが、複雑化を避けるために図面にはコントロールバスやアドレスバス、あるいは、インタフェース類を示していない。
【００３７】
前記オペレーティングシステム４３は、ディスプレイ３に対して必要な情報を表示し、ディスプレイ３に表示された情報に基づき、この処理装置４にインストールされている各種のソフトウエアによるＧＵＩ（Graphical User Interface）型の処理を実現する。
【００３８】
前記画像データ取得手段４４、オーダ設定手段４５、プリント実行手段４６、メディア保存手段４７、処理中断手段４８、処理形態設定手段４９は夫々とも、前記半導体メモリ４２に展開されたソフトウエアを想定しているが、一部又は全てをロジック等のハードウエアで構成することも可能である。
【００３９】
前記画像データ取得手段４４は、前記フィルムスキャナ２、前記ディスクドライブ７、あるいは、前記半導体ドライブ８を介して画像データを取得するように機能する。前記オーダ設定手段４５は前記画像データ取得手段４４で取得した画像データからノーマルプリント処理を行う際のプリントサイズやプリント枚数等のオーダデータを設定し、インデックスプリント処理を行う際の印画紙のサイズ等のオーダデータを設定し、メディア保存処理を行う際のメディアの種類や画像データのサイズ等のオーダデータを設定する。
【００４０】
前記プリント実行手段４６は、前記画像データ取得手段４４で取得した画像データから前記オーダ設定手段４５で設定されたオーダデータに基づいてプリントデータを生成し、このプリントデータとオーダデータとを前記プリント部Ｂに伝送することによりプリント処理を実現する。また、このプリント処理実行手段４６は、処理の実行中に図７に示す処理実行画面６０をディスプレイ３に表示する。
【００４１】
特に、他の処理を行っている場合に、画面表示ボタン等を操作することによって前記処理実行画面６０を随時表示できるようにしても良く、また、複数の処理リストを表示し、任意に１つの処理を選択すると、この選択に連係して処理実行画面６０を表示するように処理形態を設定しても良い。このようにプリント処理を行わない状況において処理実行画面６０を表示することによって処理順序を容易に把握できるものとなり、このように表示した処理実行画面６０では、図７に示す《実行中》と表示があるものを《待機中》と表示することになる。
【００４２】
前記メディア保存手段４７は、前記ディスク処理装置１０又は前記ディスクドライブ７を用いて前記オーダ設定手段４５で設定されたオーダデータに基づいてディスク型メディアＭｄに対して画像データを保存する処理を行う。
【００４３】
処理中断手段４８は、出力処理の途中で強制的に処理の中断を行う、又は、複数の出力処理の間で次の処理への移行を中断するように機能する。また、この処理中断手段４８は中間確認処理部４８Ａと、終了確認処理部４８Ｂとを備えている。
【００４４】
処理中断手段４８について具体的に説明すると、例えば、前記ノーマルプリント処理とインデックスプリント処理とメディア保存処理とを１つのオーダ処理とした場合に、この処理中断手段４８は夫々の出力処理同士の間のタイミングで処理を中断すると共に、前記中間確認処理部４８Ａが図８又は図９に示す確認画面６５をディスプレイ３に表示して、次の処理への移行の適否の判断をオペレータに求め、オペレータの判断に従った処理を実現する。
【００４５】
また、この処理中断手段４８は、前記ノーマルプリント処理、インデックスプリント処理、メディア保存処理から選択した１つ又は複数の出力処理によって１つのオーダ処理を設定した場合に、このオーダ処理の最終の出力処理が終了した時点で、このオーダ処理を中断して前記中間確認処理部４８Ａが図１１示す確認画面７０をディスプレイ３に表示して、新たな出力処理の設定の是非をオペレータに求め、オペレータの操作に基づいた処理を実現する。
【００４６】
更に、この処理中断手段４８は、前記ノーマルプリント処理、インデックスプリント処理、メディア保存処理の何れかの出力処理の実行途中で、オペレータの操作に基づいて、その出力処理を強制的に中断し、終了確認処理部４８Ｂが図１２に示す処理選択画面８０をディスプレイ３に表示して、次に行うべき処理の選択をオペレータに求め、オペレータの選択に従った処理を実現する。
【００４７】
前述したように出力処理を強制的に中断した場合に、前記処理選択画面８０を表示する処理の他に、例えば、表示ボタン等の操作に基づいて前記処理選択画面８０を表示する処理を行うようにしても良い。このように処理選択画面８０を表示した場合には、この表示の時点で行われている出力処理は継続的に行われ、この処理選択画面８０において中断の後に行うべき出力処理を設定することも可能となる。特に、処理選択画面８０を表示した場合には、この表示の際に既に実行されている出力処理が終了した時点で、次の処理へ移行せずオーダ処理を中断するように処理形態を設定しても良い。
【００４８】
前記処理形態設定手段４９は、前記処理中断手段４８での処理が中断した後の処理形態をオペレータの選択によって設定する処理を実現する。
【００４９】
前述したように、前記ノーマルプリント処理とインデックスプリント処理とメディア保存処理との何れもが、本発明の出力処理（ジョブと捉えることが可能である）に対応し、本発明の写真プリント装置は、１つのオーダ処理において複数の出力処理を実行した場合に、夫々の出力処理の間において処理を中断した際（処理中断手段４８での処理）、及び、実行中の処理を強制的に中断した際（処理中断手段４８での処理）において、中断後の処理形態を前記処理形態設定手段４９で設定できる点に特徴を有している。
【００５０】
オーダ処理の一例としてノーマルプリント処理とインデックスプリント処理とメディア保存処理とを、この順序で行う際のオーダ処理の処理形態の概要を図６のように表すことが可能である。このオーダ処理では、先ず出力処理の形態と処理の順序とを設定する（＃０１ステップ）。
【００５１】
この＃０１ステップでは、チャンネル設定画面（図示せず）をディスプレイ３に表示し、このチャンネル画面においてチャンネルと称される数値等をオペレータが設定することによって実現する。このチャンネル設定画面においてノーマルプリント処理の印画紙のプリントサイズやフチの有無等を設定し、インデックスプリント処理の印画紙のサイズ等を設定し、メディア保存処理のメディアの種類（ＣＤ−ＲやＤＶＤ−Ｒ等）及び保存する画像データのサイズ（画素数）等が設定される。また、出力処理の形態としてノーマルプリント処理とインデックスプリント処理とメディア保存処理とを設定した場合には、この順序で出力処理を実行するように処理の順序が自動的に設定される。
【００５２】
この実施形態では、チャンネル設定画面を介して処理に必要な情報を設定する形態を説明したが、ノーマルプリント処理では後述するように、プレジャッジ画面５２（図５を参照）においてプリントサイズや印画紙Ｐの種類を設定するように処理形態を設定する等、任意のタイミングでオーダデータを設定するように処理形態を設定しても良い。
【００５３】
次に、画像データを取得し、オーダデータを取得する（＃０２、＃０３ステップ）。画像データを取得する際には、前述したようにフィルムスキャナ２やディスクドライブ７や半導体ドライブ８によって画像データを取得することになり（画像データ取得手段４４での処理）、オーダデータを設定する際には、例えば、図５に示すプレジャッジ画面５２をディスプレイ３に表示し、このプレジャッジ画面５２に対して先に取得した複数の画像データをサムネイル形式で表示し、処理対象とする画像データの選択とプリント枚数の選択を行う。
【００５４】
このプレジャッジ画面５２は、画像データをサムネイル形式で表示する複数の画像データ表示部５３と、オーダデータ表示部５４と、スタートボタン５５とが表示されている。また、画像データ表示部５３の近傍位置にはその画像データを識別する識別データ表示部５６と、プリント枚数表示部５７と、Ｃ（シアン）、Ｍ（マゼンタ）、Ｙ（イエロー）の３原色についての補正、及び、濃度の補正を行う複数の補正ボタン５８が表示される。
【００５５】
ちなみに、前述したチャンネル設定画面で設定されたオーダデータと、プレジャッジ画面５２での設定に基づいてオーダデータが設定される（オーダ設定手段４５の機能）。
【００５６】
尚、プレジャッジ画面５２に表示されたスタートボタン５５と補正ボタン５８とは画面中に表示されるカーソル（図示せず）で選択し、マウス６のスイッチをクリックすることによって操作されるものである。また、後述する処理実行画面６０、確認画面６５、７０、処理選択画面８０、９０に表示されたボタン類を操作する場合にも、プレジャッジ画面５２の場合と同様にボタンをカーソルで選択し、マウス６のスイッチをクリックすることによって操作される。
【００５７】
前記プレジャッジ画面５２においてプリント対象に設定する画像データの選択と、プリント枚数の設定と、必要な場合には補正を行った後に、前記スタートボタン５５を操作することによってノーマルプリント処理が実行される（＃０４ステップ）。このプリント処理は前記プリント実行手段４６によって実現するものであり、このノーマルプリント処理の実行とともに、図７に示す処理実行画面６０がディスプレイ３に表示される。
【００５８】
前記処理実行画面６０には前記ノーマルプリント処理とインデックスプリント処理とメディア保存処理とを表示する３つのメニュー表示部６１が処理順序に従って表示され、夫々のメニュー表示部６１には、出力処理の設定情報が含まれる。また、夫々のメニュー表示部６１の側部位置には処理が行われていることを《実行中》の文字で示すメッセージ６２が表示され、この処理実行画面６０の下部には強制中断ボタン６３が表示される。
【００５９】
ノーマルプリント処理はＬサイズ（８９×１２７ｍｍ）やＥサイズ（８４×１１７ｍｍ）等の一般的なプリント処理を想定しており、このプリント処理を前記オーダデータとして設定されたプリントサイズで、設定されたプリント枚数だけ印画紙Ｐにプリントする処理がプリント部Ｂにおいて行われる。ノーマルプリント処理が完了した際には図８に示す確認画面６５が表示される（＃０５ステップ：中間確認処理部４８Ａの処理）。この確認画面６５には次の処理内容を示すメッセージ６６と、実行ボタン６７と、選択／停止ボタン６８とが表示される。
【００６０】
この確認画面６５が表示されている際には、オーダ処理が停止した状態にあり、この確認画面６５に形成された実行ボタン６７を操作することにより次の処理としてのインデックスプリント処理が開始される。
【００６１】
インデックスプリント処理は、そのオーダの画像データを縮小して基本的には１枚の印画紙Ｐに対して撮影された順序でプリントする形態の出力処理であり、この処理を実現するオーダデータに基づいてプリント部Ｂにおいてプリント処理が実行される（＃０６ステップ：プリント実行手段４６での処理）。
【００６２】
このインデックスプリント処理が完了した際には図９に示す確認画面６５が表示される（＃０７ステップ：中間確認処理部４８Ａの処理）。この確認画面６５には次の処理内容を示すメッセージ６６と、実行ボタン６７と、選択／停止ボタン６８とが表示される。
【００６３】
この確認画面６５が表示されている際には、オーダ処理が停止した状態にあり、この確認画面６５の実行ボタン６７を操作することにより次の処理としてのメディア保存処理が開始される。
【００６４】
メディア保存処理は、前記ディスク処理装置１０を用いて、前記オーダデータで設定された種類のディスク型メディアＭｄ（例えば、ＣＤ−Ｒ）に対して、前記オーダデータで設定されたサイズ（画素数）の画像データを保存する処理である（＃０８ステップ：メディア保存手段４７での処理）。
【００６５】
このメディア保存処理が完了した際には図１１に示す確認画面７０が表示される（＃０９ステップ：終了確認処理部４８Ｂの処理）。この確認画面７０にはオーダの全ての出力処理が終了したことを示すメッセージ７１と、Ｙｅｓボタン７２と、Ｎｏボタン７３とが表示される。この確認画面７０のＹｅｓボタン７２を操作することにより、このオーダ処理が終了するのである。
【００６６】
前記ノーマルプリント処理の実行中、前記インデックスプリント処理の実行中、又は、前記メディア保存処理の実行中に前記強制中断ボタン６３を操作した場合には、その処理を中断するとともに、図１０に示す処理選択画面８０を表示し、次に行う出力処理の選択を行える。
【００６７】
この処理を中断する処理は、前記処理中断手段４８によって実現するものであり、前記処理選択画面８０を表示する処理は、前記処理形態設定手段４９で実現する。前記処理選択画面８０にはオーダ処理の停止と継続との一方を選択する一対のチェック部８１と、処理を選択する場合における出力処理を設定する複数のチェック部８２と、設定された出力処理におけるオーダを設定する設定部８３と、ＯＫボタン８４とが形成されている。
【００６８】
この処理選択画面８０において、オーダ処理を停止するチェック部８１をチェックし、ＯＫボタン８４を操作した場合には、このオーダ処理は終了する。また、オーダ処理を選択するチェック部８１をチェックし、出力処理を設定するチェック部８２の何れかにチェックし、設定部８３においてオーダデータを設定した状態でＯＫボタン８４を操作することにより、次に行うべき出力処理が設定され（処理形態設定手段４９の処理）、この設定によって選択された処理が行われる（前記プリント実行手段４６、メディア保存手段の少なくとも一方の処理）。
【００６９】
このように選択した出力処理としてノーマルプリント処理を選択した場合には、前記プレジャッジ画面５２でプリント対象に指定した画像データや、プリント枚数等のオーダデータは有効であり、このオーダデータに基づいてプリント処理が実行される。また、出力処理としてインデックスプリント処理又はメディア保存処理が選択され、これらの出力処理において処理対象として前記プレジャッジ画面５２でプリント対象に指定した画像データを用いることも可能である。
【００７０】
つまり、この処理選択画面８０は前述したチャンネル設定画面と同様の機能を有するものであり、例えば、前記処理実行画面６０のメニュー表示部６１に表示された内容から、現在行われている出力処理の形態に誤りがあることを判別した場合等、現在行われている処理を強制的に停止して適正な出力処理を実行すべき場合には、適正な処理を選択して、その処理を実行させることが可能となる。
【００７１】
また、前記ノーマルプリント処理を完了した際、及び、前記インデックスプリント処理が完了して前記確認画面６５が表示された際には、その確認画面６５の選択／停止ボタン６８を操作することにより、前記処理選択画面８０が表示され、この処理選択画面８０において前述と同様の操作によって処理の停止又は選択した出力処理の実行を行える。
【００７２】
このように前記確認画面６５を表示する処理は前記処理中断手段４８によって行われるものであり、前記処理選択画面８０の表示に基づいて次に行うべき出力処理の選択は前記処理形態設定手段４９が実現する。
【００７３】
前記メディア保存処理が完了して前記確認画面７０が表示され、この確認画面７０のＮｏボタン７３を操作した場合には、図１２に示す処理選択画面９０が表示される。この処理選択画面９０には、処理を選択する場合における出力処理を設定する複数のチェック部９１と、設定された出力処理におけるオーダを設定する設定部９２と、ＯＫボタン９３とが形成されている。
【００７４】
この処理選択画面９０において、出力処理を設定するチェック部９１の何れかにチェックし、設定部９２においてオーダデータを設定した状態でＯＫボタン９３を操作することにより、次に行うべき出力処理が設定され（処理形態設定手段４９の処理）、この設定によって選択された処理が行われる（前記プリント実行手段４６、メディア保存手段の少なくとも一方の処理）。
【００７５】
このように、本発明によると、複数の出力処理を１つのオーダ処理として実行することが可能な写真プリント装置において、例えば、インデックスプリント処理を行うべき設定を誤って行わなかった場合のように、行うべき出力処理が行われない設定の状況であっても、オペレータが確認画面６５、７０の選択／停止ボタン６８を操作して、処理選択画面８０を表示し、この処理選択画面８０において簡単な操作を行うことによって、行うべき出力処理を行えるものとなり、例えば、オーダ処理を完全に停止させるものと比較して良好な操作性を現出しているのである。
【００７６】
また、本発明によると、例えば、ノーマルプリント処理の実行中に、その処理の設定（プリントサイズ等）が誤っていることを発見した場合には、オペレータが強制中断ボタン６３を操作して、プリントを強制的に停止した状態で処理選択画面８０を表示し、この処理選択画面８０において簡単な操作を行うことによって行うべき出力処理を行えるものとなり、例えば、オーダ処理を完全に停止させるものと比較して良好な操作性を現出する。
【００７７】
〔別実施形態〕
本発明は、上記した実施の形態以外に以下のように構成しても良い。
【００７８】
（ａ）１つのオーダを構成する複数の出力処理の１つとして、テンプレートを用いて年賀状やグリーティングカードをプリントするプリント処理や、サイズが異なるプリント処理を含める。このように出力処理の形態が多様になるほど、処理を中断する有効性が活かせるものとなる。
【００７９】
（ｂ）複数の出力処理を行う際に、先の出力処理と後の出力処理との間のタイミングで出力処理を停止し、確認画面を表示した場合に、この確認画面の表示のタイミングを基準にして設定された時間が経過した場合には、画面中のボタンを操作しない場合でも、予め設定されている次の出力処理を実行するように処理形態を設定する。このように処理形態を設定することにより、適正に出力処理が設定されていることが明らかな場合には、オペレータが確認画面のボタンを操作しなくて済み、操作性が向上する。
【００８０】
（ｃ）１つのオーダで複数の出力処理を行う場合、出力処理の処理順序を任意に設定できるように処理形態を設定する。
【００８１】
（ｄ）プリント処理を行う機構としてインクジェット型や昇華型のように銀塩印画紙を用いない構造のものを採用する。
【産業上の利用可能性】
【００８２】
単一のオペレート部で複数のプリント部を制御する構成の写真プリント装置に適用できる。このように単一のオペレート部で複数のプリント部を制御する場合、夫々の写真プリント装置において実行されるオーダ処理をオペレート部で管理できる。
【図面の簡単な説明】
【００８３】
【図１】写真プリント装置の構成を示す斜視図
【図２】プリント部の縦断正面図
【図３】ディスク処理装置の斜視図
【図４】処理装置のブロック回路図
【図５】プレジャッジ画面を示す図
【図６】オーダ処理の流れを示す図
【図７】処理実行画面を示す図
【図８】確認画面を示す図
【図９】確認画面を示す図
【図１０】処理選択画面を示す図
【図１１】確認画面を示す図
【図１２】処理選択画面を示す図
【符号の説明】
【００８４】
３            ディスプレイ
４５          オーダ設定手段
４８          処理中断手段
４９          処理形態設定手段
６０          処理実行画面
６３          ボタン
６５          確認画面
６８          ボタン
７０          確認画面
７３          ボタン
Ｐ            プリント媒体：印画紙
Ｍｄ          記憶媒体
【図１】
2006247875.tif 000003
【図２】
2006247875.tif 000004
【図３】
2006247875.tif 000005
【図４】
2006247875.tif 000006
【図５】
2006247875.tif 000007
【図６】
2006247875.tif 000008
【図７】
2006247875.tif 000009
【図８】
2006247875.tif 000010
【図９】
2006247875.tif 000011
【図１０】
2006247875.tif 000012
【図１１】
2006247875.tif 000013
【図１２】
2006247875.tif 000014